(57)【要約】      （修正有）【課題】携帯便利で、組立容易で、収納にも便利な栽培用収納容器を提供する。【解決手段】係止構造が設けてある第一スロットを有する枠フレーム1と、内部に前記第一スロット内における係止構造と同じような構造を有する係止構造を備える第二スロット21と、水槽とを有する底皿2と、上下両辺部に複数の小孔同士がその本体に回るように形成される本体部材3、を備えつつ、前記係止構造を前記本体部材の小孔に係止することによって前記枠フレームと前記底皿と前記本体部材とを一体になるように結合する。【選択図】図２
0003101617.tif 000002
【実用新案登録請求の範囲】
【請求項１】
係止構造が設けてある第一スロットを有する枠フレームと、
内部に前記第一スロット内における係止構造と同じような構造を有する係止構造を備える第二スロットと、水槽とを有する底皿と、
上下両辺部に複数の小孔同士がその本体に回るように形成される本体部材とを備え、
前記係止構造を前記本体部材の小孔に係止することによって前記枠フレームと前記底皿と前記本体部材とを一体になるように結合することを特徴とする栽培用収納容器組立構造。
【請求項２】
前記本体部材は一体成形によって形成される環状物であることを特徴とする栽培用収納容器組立構造。
【請求項３】
前記本体部材が長片体に形成され、当該長片体の側辺部の一端部に複数のスリット同士が形成されると共に、その他端部の対応する位置に複数の台形の挿着片同士が形成され、前記のそれらの挿着片同士をそれぞれ前記複数のスリット同士に挿着することによって収納容器ハウジングを形成することを特徴とする請求項１に記載の栽培用収納容器組立構造。
【請求項４】
前記係止構造には、塊状突出物と条状突出物とを含み、一本の条状突出物の次に、一つの塊状突出物が付き、それからまた一本の条状突出物がついていくように順次に配列をし、且つ一つの塊状突出物と二本の条状突出物同士がそれぞれ前記第一スロットの壁部の両側に配置され、それらによって係止機能を有する係止構造を形成することを特徴とする請求項１に記載の栽培用収納容器組立構造。
【請求項５】
前記塊状突出物の対向面の第一スロットの壁面部に小孔が形成されることを特徴とする請求項４に記載の栽培用収納容器組立構造。
【請求項６】
前記塊状突出物の対向面の第二スロットの壁面部に凹口が形成されつつ、当該塊状突出物の下方に前記枠フレームにおけるのと同じサイズを有する小孔が形成されることを特徴とする請求項５に記載の栽培用収納容器組立構造。
【考案の詳細な説明】
【技術分野】
【０００１】
本考案は、栽培用収納容器組立構造に係わり、特に携帯便利で、組立容易で、軽量美観的であることをその特性とするDIY（Do  it  yourself）植物栽培用収納容器に関するものである。
【背景技術】
【０００２】
従来の植物栽培用収納容器１Aはすべて一体成形のものばかりであり（図１参照）、且つその材質が大体陶磁器材料などであり、そのため、そのような収納容器が大したスペースを占用しつつ、かなり重く、購入者はそれを売り場から家まで運ぶ時に、かなり辛くて面倒である。
【０００３】
また、前記の従来の植物栽培用収納容器は、不使用時に、または古いのを新しいのに交換してから残った古い容器が、収納するにはスペースを占用すると共に、整理するにはかなり不便であり、且つ付帯して水皿２Aを購入することによって水を掛ける時に余った水分を受け取るようにする必要がある。
【０００４】
そのため、前記の説明から分かるように、前記の従来の植物栽培用収納容器は、実際に使用される際に明らかにその不便さと欠陥を有し、改善される必要がある。
【考案の開示】
【考案が解決しようとする課題】
【０００５】
本考案の解決しようとする課題は、包装や収納や携帯などがすべて便利であり、簡単な係止結合手数によるだけで、立体の水量調整可能なDIY収納容器を作れる、栽培用収納容器組立構造を提供することをその主要な目的とする。
【課題を解決するための手段】
【０００６】
前記の目的を図るために、本考案は、係止構造が設けてある第一スロットを有する枠フレームと、内部に前記第一スロット内における係止構造と同じような構造を有する係止構造を備える第二スロットと、水槽とを有する底皿と、上下両辺部に複数の小孔同士がその本体に回るように形成される本体部材、を備えつつ、前記係止構造を前記本体部材の小孔に係止することによって前記枠フレームと前記底皿と前記本体部材とを一体になるように結合する、栽培用収納容器組立構造を提供する。
【考案の効果】
【０００７】
本考案による場合、携帯便利で、組立容易で、収納にも便利な栽培用収納容器を提供できる。
【０００８】
以下に添付図面を参照しながら本考案の好適な実施の形態を詳細で具体的に説明するが、それらの説明による具体構造は単に本考案の実施可能な実施例に過ぎず、本考案を狭義的に定義するものではないことが言うまでもない。
【考案を実施するための最良の形態】
【０００９】
図２ないし図７に示すように、本考案は、栽培用収納容器組立構造を提供し、主に、枠フレーム１と、底皿２と、本体部材３とからなり、そのうち、枠フレーム１内に環状の第一スロット１０を有し、第一スロット１０内に係止構造１１が形成され、係止構造１１と枠フレーム１とが一体成形され、係止構造１１には塊状突出部１１０と条状突出物１１１とを含み、一本の条状突出物１１１の次に一つの塊状突出物１１０がつき、それからまた一本の条状突出物１１１のように順次に配列をし、また、一つの塊状突出物１１０と二本の条状突出物同士１１１とがそれぞれ第一スロット１０の壁面部の両側に配置され、係止機能を有する係止構造１１を形成し、その係止構造１１を間隔をおいて均一的に第一スロット１０内に配置し、且つそれぞれの塊状突出物１１０の対向面の第一スロット１０の壁面部に小孔１２を形成し、それによって係止を実行する際に位置合わせの機能を提供できる。
【００１０】
底皿２には水槽２０と環状の第二スロット２１とを有し、水槽２０は所定の深さを有する皿状物であり、底皿２の外方にアレンジされ、収納容器の余った水分を受け取る用途に使用され、第二スロット２１内に第一スロット１０と同じ係止構造１１が形成され、第二スロット２１に係止機能を付与し、それぞれの塊状突出物１１０の対向面の第二スロット２１の壁面部に凹口２２が形成され、塊状突出物１１０の真下に枠フレーム１のと同じように形成される小孔１２が形成され、このような考案による場合、係止時に位置を合せることが容易であり、また、水を掛ける際の余った水分に凹口２２より小孔１２を介して水槽２０内に流れ込ませることができ、小孔１２と凹口２２によって水槽２０内の水分を吸収することによって自動的に栽培用収納容器内の水分を調節する。
【００１１】
本体部材３は軽薄のプラスチック片の一体成形の環状物であり、または、長片体３０であり、長片体３０の側辺部の一端部に複数のスリット同士３１が形成され、その他端部に対応するための台形の挿着片同士３２が形成され、挿着片３２をスリット３１に挿着して固定されると、本体部材３が外力を受ける際に変形する柔軟性を有するようになり、また、枠フレーム１と底皿２をその内部に収納でき、収納に便利であり、体積を縮減できる。また、本体部材３の上下両辺部に複数の小孔同士３３が形成され、それらの小孔同士３３が本体部材の縁部に回って形成され、本体部材３の上方の小孔３３が第一スロット１０の小孔１２にマッチングされ、塊状突出物１１０が前記小孔３３内に塞がれ、他の側の左右両側の条状突出物１１１によって本体部材３を枠フレーム１の第一スロット１０内に緊密的に係止する。前記のそれぞれの構造によって本考案の栽培用収納容器組立構造を形成する。
【産業上の利用可能性】
【００１２】
本考案のDIY栽培用収納容器はプラスチック材料からなるので、持つことがかなり軽量であり、本体部材が薄いプラスチック片からなる環状物であるので、本体部材が良好な変形能力を有し、且つ枠フレームとベースを本体部材内部に収納できるので、販売時や収納時にあまり大したスペースを占用する必要はなく、収納時に体積が小型であり、且つ係止構造の設計によって、使用者が組立てる際に快速に組立てられ、従来の植物栽培用収納容器のような大型化で、おもいイメージより脱出することができる。
【００１３】
また、前記に具体的に開示された具体的な構造は、単に本考案の実施可能な実施例に過ぎず、本考案を狭義的に定義するものではなく、本考案の実用新案登録出願請求の範囲の内容の要旨に基づいて実施される、本考案と同じような効果を有する創作や改造や一部転用などはすべて本考案の主張範囲内に納入されるべきことが言うまでもない。
【図面の簡単な説明】
【００１４】
【図１】従来の植物栽培用収納容器の構造を示す斜視図である。
【図２】本考案を示す分解斜視図である。
【図３】図２におけるAブロックの拡大分解斜視図である。
【図４】図２におけるBブロックの拡大分解斜視図である。
【図５】本考案を示す組立斜視図である。
【図６】本考案を示す断面図である。
【図７】本考案の収納状態を示す断面図である。
【符号の説明】
【００１５】
１      枠フレーム
２      底皿
３      本体部材
１０    第一スロット
１１    係止構造
１２、３３  小孔
２０    水槽
２１    第二スロット
２２    凹口
３０    長片体
３１    スリット
３２    挿着片
１１０  塊状突出物
１１１  条状突出物
【図１】
0003101617.tif 000003
【図２】
0003101617.tif 000004
【図３】
0003101617.tif 000005
【図４】
0003101617.tif 000006
【図５】
0003101617.tif 000007
【図６】
0003101617.tif 000008
【図７】
0003101617.tif 000009